(57)【特許請求の範囲】
【請求項１】
演出を実行する演出実行手段と、
同一の遊技状態中に実行可能な複数の演出モードの中から、実行する演出モードである実行モードを決定するモード決定手段と、
前記モード決定手段によって決定された前記実行モードに応じた演出を前記演出実行手段に実行させることで、前記実行モードを実行させる演出制御手段とを備え、
同一の遊技状態中に前記実行モードを切り替えることが可能な遊技機であって、
前記実行モードが継続して実行されている期間に得られる遊技情報を、パラメータとして取得するパラメータ取得手段と、
前記パラメータ取得手段によって取得されたパラメータが閾値以上となったか否かを判断する閾値判断手段と、
少なくとも前記閾値判断手段によってパラメータが前記閾値以上となったと判断されたことを条件として、前記実行モードを終了するか否かを選択可能な状態であることを遊技者に報知する報知手段と、
遊技者によって操作される操作手段と、
前記選択可能な状態であることが報知されている間の前記操作手段の操作に応じて、前記実行モードを終了させるか否かを決定する終了決定手段と、
前記モード決定手段が、前記操作手段の操作に応じて前記実行モードを終了させた頻度である終了頻度を取得する終了頻度取得手段とを備え、
前記モード決定手段は、前記終了決定手段によって前記実行モードを終了させることが決定された場合、実行中の前記実行モード以外の演出モードを次の前記実行モードとして決定し、
前記閾値判断手段は、前記終了頻度取得手段によって取得された前記終了頻度が高い程、低い前記閾値を用いて判断を行うことを特徴とする遊技機。
【発明の詳細な説明】
【技術分野】
【０００１】
本発明は、複数の演出モードを切り替えて実行することが可能な遊技機に関する。
【背景技術】
【０００２】
従来、同一の遊技状態（例えば、大当たり判定を行っている状態）中に、複数の演出モード（ステージ）を切り替えて実行することが可能な遊技機が知られている。例えば、特許文献１が開示している遊技機は、操作スイッチが操作された場合に、複数の演出モードの１つを選択させる選択演出を行い、選択された演出モードを実行する。また、遊技が進行する過程で、演出モードを自動的に切り替える遊技機も存在する。
【先行技術文献】
【特許文献】
【０００３】
【特許文献１】特開２００８−１７３３５７号公報
【発明の概要】
【発明が解決しようとする課題】
【０００４】
演出モードを自動的に切り替える遊技機では、遊技者が所望しない演出モードが実行された場合でも、遊技者は自分の意思で演出モードを切り替えることができない。一方で、操作スイッチが操作されたことを契機として演出モードを切り替える遊技機では、演出モードを切り替えられることを遊技者が知らないまま遊技が進行することがある。さらに、遊技者の興味を惹くことができる演出モードが他に存在しているにも関わらず、特定の演出モードのみが選択される場合もある。従って、多数の演出モードを十分に活用して遊技者を楽しませつつ、遊技者が所望する演出モードが実行される割合を増やすことは、従来の技術では不可能であった。
【０００５】
本発明は、多数の演出モードを十分に活用して遊技者を楽しませつつ、遊技者が所望する演出モードが実行される割合を増やし、遊技者の興趣を強く惹き付けることができる遊技機を提供することを目的とする。
【課題を解決するための手段】
【０００６】
本発明に係る遊技機は、演出を実行する演出実行手段と、同一の遊技状態中に実行可能な複数の演出モードの中から、実行する演出モードである実行モードを決定するモード決定手段と、前記モード決定手段によって決定された前記実行モードに応じた演出を前記演出実行手段に実行させることで、前記実行モードを実行させる演出制御手段とを備え、同一の遊技状態中に前記実行モードを切り替えることが可能な遊技機であって、前記実行モードが継続して実行されている期間に得られる遊技情報を、パラメータとして取得するパラメータ取得手段と、前記パラメータ取得手段によって取得されたパラメータが閾値以上となったか否かを判断する閾値判断手段と、少なくとも前記閾値判断手段によってパラメータが前記閾値以上となったと判断されたことを条件として、前記実行モードを終了するか否かを選択可能な状態であることを遊技者に報知する報知手段と、遊技者によって操作される操作手段と、前記選択可能な状態であることが報知されている間の前記操作手段の操作に応じて、前記実行モードを終了させるか否かを決定する終了決定手段と、前記モード決定手段が、前記操作手段の操作に応じて前記実行モードを終了させた頻度である終了頻度を取得する終了頻度取得手段とを備え、前記モード決定手段は、前記終了決定手段によって前記実行モードを終了させることが決定された場合、実行中の前記実行モード以外の演出モードを次の前記実行モードとして決定し、前記閾値判断手段は、前記終了頻度取得手段によって取得された前記終了頻度が高い程、低い前記閾値を用いて判断を行うことを特徴とする。
【０００７】
本発明に係る遊技機では、実行モードが一定時間継続することを条件として、実行モードを終了させるか否かを選択できる旨が遊技者に報知される。遊技者は、一定時間以上行われた実行モードの内容を踏まえて、実行モードを終了させるか否かを選択することができる。従って、本発明に係る遊技機は、多数の演出モードを遊技者に楽しませつつ、遊技者が所望する演出モードが実行される割合を増やすことができる。
【０００８】
【０００９】
【００１０】
【００１１】
また、遊技者が実行モードを終了させる頻度が高い程、実行モードを終了させるか否かを選択できる旨が、より早い段階で遊技者に報知される。従って、遊技機は、遊技者が実行モードを終了させる頻度に応じて、より最適なタイミングで報知を行うことができる。
【００１２】
【００１３】
【図面の簡単な説明】
【００１４】
【図１】パチンコ機１の正面図である。
【図２】遊技盤２の正面図である。
【図３】パチンコ機１の電気的構成を示すブロック図である。
【図４】ＲＡＭ５２の大当たり関係情報記憶エリアを示す概念図である。
【図５】主基板４１におけるメイン処理のフローチャートである。
【図６】メイン処理で実行される特別図柄処理のフローチャートである。
【図７】メイン処理で実行される特別図柄処理のフローチャートである。
【図８】パチンコ機１における演出モードの概要を示す図である。
【図９】サブ制御基板５８におけるサブ制御基板処理のフローチャートである。
【図１０】サブ制御基板処理で実行される報知演出開始処理のフローチャートである。
【図１１】サブ制御基板処理で実行される特別演出モード処理のフローチャートである。
【図１２】選択可能状態報知画像２９の一例を示す図である。
【図１３】実行モード終了情報および終了頻度を説明するための説明図である。
【図１４】サブ制御基板処理で実行される演出モード決定処理のフローチャートである。
【図１５】閾値決定テーブルのデータ構成を説明するための説明図である。
【発明を実施するための形態】
【００１５】
以下、本発明に係る遊技機の一実施形態について、図面を参照して説明する。まず、図１および図２を参照して、本実施形態に係るパチンコ機１の機械的構成について説明する。
【００１６】
図１に示すように、パチンコ機１の上半分の部分には遊技盤２が設けられている。遊技盤２は略正方形であり（図２参照）、透明なガラス板を保持した前面枠１３によって前面を保護されている。遊技盤２の下部には上皿５が設けられている。上皿５は、発射機に遊技球を供給し、且つ賞品球を受ける。上皿５の上面には操作ボタン９が設けられている。上皿５の直下には、賞品球を受ける下皿６が設けられている。下皿６の右横には、遊技球の発射を調整する発射ハンドル７が設けられている。前面枠１３の上部の左右の角には、スピーカ４８がそれぞれ設けられている。
【００１７】
図２に示すように、遊技盤２の前面には、ガイドレール３で囲まれた略円形の遊技領域４が形成されている。遊技領域４の略中央には、各種演出を実行する演出装置８が設けられている。演出装置８の左方には普通図柄始動ゲート１２が設けられている。演出装置８の下方には特別図柄始動電動役物１５が配設されており、その下方には大入賞口１６が設けられている。特別図柄始動電動役物１５は開閉部材を備え、開閉部材が開放されると遊技球の入賞が容易になる。大入賞口１６も開閉部材を備え、開閉部材が開放された場合にのみ、遊技球は大入賞口１６に入賞できる。
【００１８】
演出装置８について説明する。図２に示すように、演出装置８は、ＬＣＤからなる表示画面２８を中央に備える。表示画面２８には様々な映像が表示されるが、特に大当たり判定の結果を遊技者に報知するために、横並びに３つのデモ図柄表示部が設けられている。パチンコ機１は、３つのデモ図柄表示部に表示されるデモ図柄を変動させた後に、大当たり判定の結果を示すデモ図柄の組み合わせを確定表示させる演出（以下、「報知演出」という。）を行うことで、大当たり判定の結果を遊技者に報知する。また、詳細は後述するが、表示画面２８には、実行されている演出モードを終了するか否かを選択可能な状態であることを示す選択可能状態報知画像２９（図１２参照）が表示される。
【００１９】
表示画面２８の右方には可動役物３０が設けられている。可動役物３０は、可動部を可動させることで各種演出を行う。可動役物３０の下方には、大当たり判定の結果および保留球数を表示する表示部２４が設けられている。表示部２４は、特別図柄表示部、普通図柄表示部、特別図柄記憶数表示ＬＥＤ、および普通図柄記憶数表示ＬＥＤを備える。特別図柄表示部は、２つの７セグメントＬＥＤからなり、大当たり判定の結果を示す特別図柄を表示する。普通図柄表示部は、ＬＥＤの点灯および消灯によって普通当たり判定の結果を表示する。特別図柄記憶数表示ＬＥＤは、大当たり判定の結果がまだ表示されていない遊技球の個数（所謂「特別図柄作動保留球数」）を表示する。普通図柄記憶数表示ＬＥＤは、普通当たり判定の結果がまだ表示されていない遊技球の個数（所謂「普通図柄作動保留球数」）を表示する。
【００２０】
図３を参照して、パチンコ機１の電気的構成について説明する。パチンコ機１の制御部４０は、主基板４１、サブ制御基板５８、ランプドライバ基板４６、演出制御基板４３、払出制御基板４５、および中継基板４７を主に備える。
【００２１】
主基板４１は、パチンコ機１の主制御を司る。主基板４１の主基板ＣＰＵユニット５０には、各種の演算処理を行うＣＰＵ５１と、データを一時的に記憶するＲＡＭ５２と、制御プログラム等を記憶したＲＯＭ５３とが設けられている。主基板ＣＰＵユニット５０には、割込信号発生回路５７が接続されている。主基板４１は、割込信号発生回路５７から割込信号が入力される毎にプログラムを実行する。主基板４１は、Ｉ／Ｏインタフェイス５４を介してサブ制御基板５８、払出制御基板４５、中継基板４７、出力ポート５５、および始動口スイッチ７０に接続されている。出力ポート５５は、図示外の遊技場管理用コンピュータにパチンコ機１の情報を出力する。始動口スイッチ７０は、特別図柄始動電動役物１５に入賞した遊技球を検出する。
【００２２】
サブ制御基板５８は、ＣＰＵ５８１、ＲＡＭ５８２、およびＲＯＭ５８３を備え、ランプドライバ基板４６、演出制御基板４３、スピーカ４８、および操作ボタン９に接続している。サブ制御基板５８は、主基板４１から送信されるコマンドに従って、演出等の総合的な制御を行う。ランプドライバ基板４６は可動役物３０等を制御する。演出制御基板４３は、ＣＰＵ４３ａ等を備え、サブ制御基板５８から受信するコマンドに従って表示画面２８の表示を制御する。払出制御基板４５は、ＣＰＵ４５ａ等を備える。払出制御基板４５は、主基板４１から送信されるコマンドに応じて賞品球払出装置４９の動作を制御し、所定数の遊技球を払い出させる。
【００２３】
中継基板４７には、普通図柄作動スイッチ７１、大入賞口開閉ソレノイド７２、電動役物開閉ソレノイド７３、大入賞口スイッチ７５、および表示部２４が接続されている。普通図柄作動スイッチ７１は、普通図柄始動ゲート１２を通過した遊技球を検出する。大入賞口開閉ソレノイド７２は、大当たり遊技中に大入賞口１６の開閉部材を開閉する。電動役物開閉ソレノイド７３は、普通当たり遊技中に特別図柄始動電動役物１５の開閉部材を開閉する。大入賞口スイッチ７５は、大入賞口１６に入賞した遊技球を検出する。
【００２４】
電源基板４２は、主基板４１および遊技球発射装置３７に接続されており、各基板および遊技球発射装置３７に直流の安定化した電力を供給する。遊技球発射装置３７は、一定間隔（本実施形態では０．６秒）毎に１個ずつ遊技球を遊技領域４へ発射する。
【００２５】
図４を参照して、ＲＡＭ５２の大当たり関係情報記憶エリアについて説明する。大当たり関係情報記憶エリアは、後述するメイン処理の特別図柄処理（図６および図７参照）において使用され、特別図柄始動電動役物１５への遊技球の入賞時に取得される乱数を記憶する。大当たり関係情報記憶エリアには複数の記憶エリアが設けられている。特別図柄始動電動役物１５に遊技球が入賞した際に、特別図柄作動保留球数が４未満（０〜３）であれば、番号の若い記憶エリアから順に乱数が記憶される。ＣＰＵ５１は、処理が未だ行われていない記憶エリアの乱数のうち、最も番号の若い記憶エリアを判定エリアとし、判定エリアに記憶されている乱数について大当たり判定等の各種処理を行う。判定エリアに記憶されている乱数に関する処理（具体的には、判定結果を報知する報知演出、および、判定結果が大当たりの場合に実行される大当たり遊技）が終了すると、次に番号が若い記憶エリアが判定エリアとされて、大当たり判定等の処理が繰り返される。なお、処理が終了した記憶エリアの乱数は、適宜消去してもよい。
【００２６】
各記憶エリアには、大当たり判定カウンタの値が記憶される大当たり乱数欄、特別図柄決定カウンタの値が記憶される特別図柄決定乱数欄、および、変動パターン決定カウンタの値が記憶される変動パターン決定乱数欄が設けられている。特別図柄始動電動役物１５に遊技球が入賞すると、その時点で計数されているそれぞれの乱数取得カウンタの値が各欄に記憶される。大当たり乱数は、大当たり判定のために用いられる。特別図柄決定乱数は特別図柄を決定するために用いられる。変動パターン決定乱数は、大当たり判定の結果を報知する報知演出の演出パターン（デモ図柄の変動パターン）を決定するために用いられる。なお、ＲＡＭ５２には、普通図柄始動ゲート１２への遊技球の入賞時に取得される乱数を記憶するための普通当たり関係情報記憶エリアが設けられている。普通当たり関係情報記憶エリアも、大当たり関係情報記憶エリアと同様に構成されている。
【００２７】
図５から図７を参照して、パチンコ機１の主基板４１による処理について説明する。パチンコ機１の主制御は、ＲＯＭ５３に記憶されている制御プログラムによって行われる。制御プログラムのメイン処理（図５参照）は、割込信号発生回路５７（図３参照）が４ｍｓ毎に発生する割込信号をＣＰＵ５１が感知した際に、ＣＰＵ５１において実行される。
【００２８】
まず、コマンド出力処理が行われる（Ｓ１０）。コマンド出力処理では、制御コマンドが、サブ制御基板５８、払出制御基板４５、中継基板４７等に出力される。ここで出力される制御コマンドは、前回実施されたメイン処理においてＲＡＭ５２に記憶された制御コマンドである。
【００２９】
次いで、スイッチ読込処理が行われる（Ｓ１１）。スイッチ読込処理では、普通図柄始動ゲート１２および各入賞口に設けられた各スイッチ（図３参照）の検出結果から、遊技球を検知するための処理が行われる。
【００３０】
次いで、カウンタ更新処理が行われる（Ｓ１２）。カウンタ更新処理では、ＲＡＭ５２に記憶されている乱数取得カウンタの値が加算され、且つ、タイマカウンタの値が減算される。
【００３１】
次いで、特別電動役物処理が行われる（Ｓ１３）。特別電動役物処理では、大当たり遊技の動作（主に大入賞口１６の開閉部材の開閉動作）を制御するための処理と、大当たり遊技終了後に生起される遊技状態に関する処理とが行われる。
【００３２】
次いで、特別図柄処理が行われる（Ｓ１４）。詳細は後述するが、特別図柄処理では、大当たり判定、特別図柄の決定、および変動パターンの決定等の処理が行われる（図６および図７参照）。
【００３３】
次いで、普通電動役物処理が行われる（Ｓ１５）。普通電動役物処理では、普通当たりとなった場合に普通当たり遊技の動作を制御するための処理が行われる。ＣＰＵ５１は、時短状態が生起されていれば、非時短状態中よりも長く特別図柄始動電動役物１５を開放させる。
【００３４】
次いで、普通図柄処理が行われる（Ｓ１６）。普通図柄処理では、普通図柄作動スイッチ７１が遊技球を検出することを契機として、普通当たり乱数が取得される。取得された乱数に基づいて、普通当たり判定、普通図柄の変動を制御するためのコマンドの記憶等の処理が行われる。時短状態中に普通当たりと判定される確率は、非時短状態中に普通当たりと判定される確率よりも高い。普通図柄の変動時間は、非時短状態中よりも時短状態中の方が短い。
【００３５】
次いで、払出処理（Ｓ１７）、エラーチェック（Ｓ１８）、および情報出力処理（Ｓ１９）が行われる。払出処理では、賞品球の払い出しが制御される。エラーチェックでは、エラーが発生している場合に、表示画面２８およびスピーカ４８等を用いてエラーが報知される。情報出力処理では、図示外の遊技場管理用コンピュータに各種の情報が出力される。
【００３６】
図６および図７を参照して、特別図柄処理（Ｓ１４）の詳細について説明する。まず、特別図柄処理で使用されるフラグについて説明する。ＲＡＭ５２には、大当たり遊技状態フラグ、表示状態フラグ等が記憶されている。大当たり遊技状態フラグは、大当たり遊技中に「１」が記憶されて「ＯＮ」となり、大当たり遊技中でない場合には「０」が記憶されて「ＯＦＦ」となる。特別図柄表示状態フラグは、表示部２４の特別図柄が変動している場合に「１」、停止表示されている場合に「２」、変動中でも停止表示中でもない場合に「０」が記憶される。
【００３７】
図６に示すように、特別図柄処理が開始されると、特別図柄始動電動役物１５に遊技球が入賞したか否かが判断される（Ｓ２１）。特別図柄始動電動役物１５に設けられた始動口スイッチ７０が遊技球の入賞を検出すると、メイン処理のスイッチ読込処理（Ｓ１１、図５参照）において、始動口スイッチ７０に対応する入賞球フラグが「ＯＮ」とされる。このフラグが「ＯＮ」とされておらず、遊技球が入賞していなければ（Ｓ２１：ＮＯ）、処理はそのままＳ３１の判断へ移行する。特別図柄始動電動役物１５に遊技球が入賞していれば（Ｓ２１：ＹＥＳ）、特別図柄作動保留球数が「４」であるか否かが判断される（Ｓ２２）。ＲＡＭ５２に記憶されている特別図柄作動保留球数が「４」であれば（Ｓ２２：ＹＥＳ）、保留球は保留することができる上限に達しているため、処理はそのままＳ３１の判断へ移行する。
【００３８】
特別図柄作動保留球数が「４」でない場合には（Ｓ２２：ＮＯ）、ＲＡＭ５２に記憶されている特別図柄作動保留球数に「１」が加算される（Ｓ２３）。特別図柄作動保留球数が増加したことを示す保留球数増加コマンドが、ＲＡＭ５２に記憶される（Ｓ２４）。なお、記憶された保留球数増加コマンドは、次に実行されるメイン処理でサブ制御基板５８に送信される。次いで、各種乱数が取得され、大当たり関係情報記憶エリア（図４参照）における空の記憶エリアのうち、番号が最も若い記憶エリアに記憶される（Ｓ２５）。具体的には、大当たり乱数欄には大当たり判定カウンタの値が、特別図柄決定乱数欄には特別図柄決定カウンタの値が、変動パターン決定乱数欄には変動パターン決定カウンタの値が、それぞれ記憶される。
【００３９】
次いで、大当たり遊技状態であるか否かが判断される（Ｓ３１）。大当たり遊技状態フラグが「ＯＮ」となっており、大当たり遊技状態中であると判断された場合には（Ｓ３１：ＹＥＳ）、処理はそのままメイン処理へ戻る。大当たり遊技状態中でなければ（Ｓ３１：ＮＯ）、特別図柄が変動中であるか否かが判断される（Ｓ３２）。表示状態フラグが「１」でなく、特別図柄が変動中でなければ（Ｓ３２：ＮＯ）、特別図柄が停止表示中であるか否かが判断される（Ｓ３３）。表示状態フラグが「２」でなく、停止表示中でなければ（Ｓ３３：ＮＯ）、処理はＳ３５（図７参照）へ移行し、大当たり判定が行われる。
【００４０】
大当たり判定では、まず、特別図柄作動保留球数が「１」以上であるか否かが判断される（Ｓ３５）。ＲＡＭ５２に記憶されている特別図柄作動保留球数が「１」以上でなければ（Ｓ３５：ＮＯ）、大当たり判定を行うべき遊技球は存在しないので、処理はそのままメイン処理へ戻る。「１」以上であれば（Ｓ３５：ＹＥＳ）、ＲＡＭ５２に記憶されている特別図柄作動保留球数が「１」減算される（Ｓ３６）。大当たり関係情報記憶エリア（図４参照）の判定エリアが、次の番号の記憶エリアにシフトされる（Ｓ３７）。
【００４１】
次いで、遊技状態に応じた大当たり判定が行われる（Ｓ３８）。大当たり判定を行うための判定テーブルには、非確率変動状態中に用いられる低確率判定テーブルと、大当たりと判定される確率が非確率変動状態中よりも高くなる高確率判定テーブルとが設けられている。大当たり判定は、確率変動状態が生起されているか否かに応じて、いずれかの判定テーブルが参照されて行われる。
【００４２】
大当たり判定によって大当たりと判定された場合には（Ｓ３９：ＹＥＳ）、大当たりであることを示す特別図柄が決定される（Ｓ４０）。次いで、時短状態中であれば（Ｓ４１：ＹＥＳ）、特別図柄変動パターン決定テーブル（図示せず）のうち、時短状態中且つ大当たりの場合のテーブルが参照され、変動パターン決定乱数欄の値によって変動パターンが決定される（Ｓ４２）。変動パターンとは、大当たり判定による判定結果を遊技者に報知する際に用いられるデモ図柄の変動のパターンである。この変動パターンによって、表示部２４に表示される特別図柄の変動時間（デモ図柄の変動時間に等しい）と、特別図柄の変動に同期して表示画面２８、可動役物３０、スピーカ４８等によって実行される報知演出のパターンとが決定される。サブ制御基板５８は、主基板４１で決定された変動パターンに基づいて報知演出を制御する。特別図柄変動パターン決定テーブルは、変動パターン決定乱数欄の値によって変動パターンを決定するためのテーブルである。特別図柄変動パターン決定テーブルは、大当たり判定時の遊技状態（非時短状態中または時短状態中）、および大当たり判定の結果（大当たりまたははずれ）に応じて複数のテーブルが設けられている。
【００４３】
時短状態中でなければ（Ｓ４１：ＮＯ）、非時短状態（通常状態）且つ大当たりの場合のテーブルによって変動パターンが決定される（Ｓ４３）。判定結果がはずれであれば（Ｓ３９：ＮＯ）、はずれであることを示す特別図柄（本実施形態では「−−」）が決定される（Ｓ４６）。時短状態中であれば（Ｓ４７：ＹＥＳ）、時短状態中且つはずれのテーブルによって変動パターンが決定され（Ｓ４８）、時短状態中でなければ（Ｓ４７：ＮＯ）、通常状態且つはずれのテーブルによって変動パターンが決定される（Ｓ４９）。
【００４４】
次いで、決定された変動パターンを指定すると共に、特別図柄およびデモ図柄の変動（報知演出の開始）を指示するための変動パターン指定コマンドが、ＲＡＭ５２に記憶される（Ｓ５２）。記憶されたコマンドは、次に実行されるメイン処理のコマンド出力処理（Ｓ１０、図５参照）において、サブ制御基板５８等の他の基板に出力される。次いで、変動パターンに応じて決められている特別図柄の変動時間が、タイマカウンタである特別図柄変動時間カウンタにセットされる（Ｓ５３）。特別図柄が変動中であることを示す「１」が表示状態フラグに記憶されて（Ｓ５４）、処理はメイン処理へ戻る。
【００４５】
また、図６に示すＳ３２の判断において、表示状態フラグに「１」が記憶されており、特別図柄が変動中であると判断された場合には（Ｓ３２：ＹＥＳ）、変動時間が経過したか否かが判断される（Ｓ５７）。Ｓ５３（図７参照）でセットされた特別図柄変動時間カウンタの値が「０」となっており、変動時間が経過したと判断された場合には（Ｓ５７：ＹＥＳ）、特別図柄の変動停止（報知演出の終了）を指示するための特別図柄停止コマンドがＲＡＭ５２に記憶される（Ｓ５８）。所定の停止表示時間が、タイマカウンタである特別図柄停止時間カウンタに記憶される（Ｓ５９）。特別図柄が停止表示中であることを示す「２」が表示状態フラグに記憶されて（Ｓ６０）、処理はメイン処理へ戻る。一方、Ｓ５７の判断において、変動時間がまだ経過していないと判断された場合には（Ｓ５７：ＮＯ）、処理はそのままメイン処理へ戻る。
【００４６】
また、Ｓ３３の判断において、表示状態フラグに「２」が記憶されており、特別図柄が停止表示中であると判断された場合には（Ｓ３３：ＹＥＳ）、Ｓ５９でセットされたカウンタの値によって、停止表示時間が経過したか否かが判断される（Ｓ６１）。特別図柄停止時間カウンタの値が「０」でなく、停止表示時間がまだ経過していない場合には（Ｓ６１：ＮＯ）、処理はそのままメイン処理へ戻る。停止表示時間が経過した場合には（Ｓ６１：ＹＥＳ）、特別図柄が変動中でも停止表示中でもないことを示す「０」が表示状態フラグに記憶される（Ｓ６２）。次いで、遊技状態移行処理が行われて（Ｓ６３）、処理はメイン処理へ戻る。遊技状態移行処理（Ｓ６３）では、判定結果が大当たりである場合に大当たり遊技状態フラグが「ＯＮ」とされ、遊技状態が大当たり遊技状態へ移行される。この場合、大当たり遊技を開始することを示す大当たり遊技開始コマンドがＲＡＭ５２に記憶される。また、時短状態および確率変動状態の終了条件が満たされていれば、これらの遊技状態が終了し、遊技状態は非時短状態および非確率変動状態へ移行する。
【００４７】
図８を参照して、本実施形態のパチンコ機１が実行する演出モードについて説明する。演出モードとは、報知演出の種別を決定するためのモードである。報知演出の内容（演出時間、演出で報知する大当たり判定の結果等）を示す変動パターンの１つが決定されると、決定された変動パターンが示す報知演出が、その時点で生起されている演出モードに対応させて実行される。例えば、演出モードが変化すると、報知演出中に登場するキャラクタ、背景、予告演出の種類、リーチ演出の種類等が変化する。
【００４８】
本実施形態の演出モードは、通常演出モードと特別演出モードの２つの種別に大別される。通常演出モードは、特別演出モードに比べて実行される頻度が高い演出モードである。特別演出モードでは、判定結果が大当たりの場合に特定の演出が実行され易く、はずれの場合には特定の演出が実行され難い（もしくは、全く実行されない）。つまり、特別演出モードが実行されている場合、実行されている特別演出モードに応じて定められている特定の演出が実行されると、遊技者は大当たりに対する強い期待（もしくは確信）を持てる。
【００４９】
通常演出モードには、モードＡ、モードＢ、およびモードＣの３つの演出モードが設けられている。モードＡでは、ステップアップ予告が実行される頻度が高い。ステップアップ予告とは、所定の態様の予告演出を段階的に変化させることで大当たりの期待度を遊技者に報知する予告方法である。サブ制御基板５８は、大当たり判定の結果が大当たりの場合には、はずれの場合に比べてステップアップ予告の段階的な変化を多くする。モードＢでは、キャラクタ予告が実行される頻度が高い。キャラクタ予告とは、大当たりの期待度、リーチ演出の有無等に応じたキャラクタ（背景変化等を含む）を表示させる予告方法である。モードＣでは、スベリ演出を伴ってリーチ状態となる頻度が高くなる。スベリ演出とは、デモ図柄の少なくとも１つを一旦停止または減速させた後に、再度加速させることで、リーチ演出に移行させる演出である。
【００５０】
特別演出モードには、モードＸ、モードＹ、およびモードＺの３つの演出モードが設けられている。モードＸでは、大当たり判定の判定結果が大当たりである場合に、ステップアップ予告が実行される頻度が高くなる。判定結果がはずれの場合には、ステップアップ予告は実行され難い。従って、ステップアップ予告が実行されるだけで、遊技者は大当たりに対する強い期待を持てる。同様に、モードＹでは、判定結果が大当たりである場合に、キャラクタ予告が実行される頻度が高くなる。よって、キャラクタ予告が実行されるだけで、遊技者は強い期待を持てる。モードＺでは、判定結果が大当たりである場合に、スベリ演出を伴ってリーチ状態となる頻度が高くなる。よって、遊技者は、スベリ演出が実行されることを期待して演出に注目する。
【００５１】
特別演出モードが実行されている場合、遊技者は、特定の演出（ステップアップ予告、キャラクタ予告、またはスベリ演出）が実行されるだけで、大当たりに対する強い期待を持つことができる。一方で、特定の演出が実行される頻度は、通常演出モードが実行されている場合に比べて低下する。また、特別演出モードが実行されている場合には、特定の演出が実行されなければ、強い期待を持つことは難しい。従って、遊技者の性格、気分等に応じて、遊技者が特別演出モードを好む度合いは異なる。本実施形態に係るパチンコ機１は、特別演出モードを含む多数の演出モードを遊技者に楽しませつつ、遊技者が所望する演出モードが実行される割合を増やすことができる。以下、処理の詳細について説明する。
【００５２】
図９から図１５を参照して、サブ制御基板５８が実行するサブ制御基板処理について説明する。サブ制御基板処理では、主基板４１から送信されるコマンドに従って、表示画面２８、スピーカ４８等による演出を制御する処理が行われる。特に、サブ制御基板処理では、複数の演出モードのうち、実行する演出モード（以下、「実行モード」という。）が決定され、決定された実行モードに応じて報知演出が制御される。サブ制御基板処理は、ＲＯＭ５８３に記憶されているプログラムに従って、ＣＰＵ５８１において実行される。
【００５３】
図９に示すように、サブ制御基板処理が開始されると、主基板４１から変動パターン指定コマンドを受信したか否かが判断される（Ｓ７１）。受信していない場合（Ｓ７１：ＮＯ）、処理はそのままＳ７３の判断へ移行する。変動パターン指定コマンドを受信した場合（Ｓ７１：ＹＥＳ）、報知演出開始処理が実行されて（Ｓ７２）、処理はＳ７３の判断へ移行する。報知演出開始処理では、主に、実行モードが継続して実行されている期間を判断するためのパラメータに関する処理と、実行モードおよび変動パターンに応じて報知演出を制御する処理とが行われる。
【００５４】
図１０に示すように、報知演出開始処理では、演出モードが変更されたか否かが判断される（Ｓ９１）。詳細は後述するが、サブ制御基板処理における演出モード決定処理（図１５参照）では、実行モードを変更するための処理が行われる。より具体的には、演出モード決定処理では、実行モードを変更する場合、次の実行モードを決定する処理が行われる。演出モード決定処理において、実行モードを変更する処理が行われていなければ（Ｓ９１：ＮＯ）、実行モードの継続回数を計数するための継続回数カウンタに「１」が加算されて（Ｓ９２）、処理はＳ９６へ移行する。実行モードの継続回数とは、その時点の実行モードが開始されてから、大当たり判定（Ｓ３８、図７参照）が行われた回数である。継続回数カウンタの値は、実行モードが継続して実行されている期間を示すパラメータの１つとして用いられる。
【００５５】
実行モードを変更する処理が行われている場合（Ｓ９１：ＹＥＳ）、演出モード決定処理において決定された次の実行モードがＲＡＭ５８２にセットされる（Ｓ９３）。その時点の実行モードの継続時間を計測するための継続時間カウンタがリセットされて、継続時間カウンタによる時間の計測が開始される（Ｓ９４）。継続回数カウンタが初期値である「０」にリセットされ、且つ「１」が加算される（Ｓ９５）。処理はＳ９６へ移行する。
【００５６】
次いで、特別図柄作動保留球数を計数するための保留球数計数カウンタの値から、「１」が減算される（Ｓ９６）。その時点の実行モードと、変動パターン指定コマンドによって指定された変動パターンとに応じて、報知演出が制御される（Ｓ９７）。例えば、同一の変動パターンが指定されている場合でも、実行モードがモードＡであれば、他の演出モードが実行されている場合よりもステップアップ予告が行われる頻度が高くなるように、報知演出が制御される。実行モードがモードＺであれば、同一の変動パターンが指定されている場合でも、他の演出モードが実行されている場合に比べて、大当たり時にスベリ演出が実行されやすい（はずれ時には実行され難い）。処理はサブ制御基板処理へ戻る。
【００５７】
図９の説明に戻る。変動パターン指定コマンドに関する処理（Ｓ７１、Ｓ７２）が終了すると、主基板４１から保留球数増加コマンドを受信したか否かが判断される（Ｓ７３）。受信していなければ（Ｓ７３：ＮＯ）、処理はそのままＳ７５の判断へ移行する。保留球数増加コマンドを受信すると（Ｓ７３：ＹＥＳ）、保留球数計数カウンタの値に「１」が加算されて（Ｓ７４）、処理はＳ７５の判断へ移行する。
【００５８】
次いで、特別演出モードが実行中であるか否かが判断される（Ｓ７５）。前述したように、特別演出モードとは、大当たりの場合に特定の演出が実行され易く、はずれの場合には特定の演出が実行され難い演出モードである（図８参照）。実行モードが特別演出モードのいずれかでなければ（Ｓ７５：ＮＯ）、処理はそのままＳ７９の判断へ移行する。特別演出モードが実行されている場合（Ｓ７５：ＹＥＳ）、特別演出モード処理が行われて（Ｓ７６）、処理はＳ７９の判断へ移行する。特別演出モード処理では、主に、遊技者による操作ボタン９の操作に応じて特別演出モードを終了させるための処理が行われる。
【００５９】
図１１に示すように、特別演出モード処理では、選択可能状態であることが遊技者に報知されているか否かが判断される（Ｓ１０１）。選択可能状態とは、実行モードを終了させるか否かを遊技者が選択できる状態である。図１２に示すように、本実施形態のパチンコ機１は、「ボタンを押したらモードが変わるよ！」のメッセージを含む選択可能状態報知画像２９を表示画面２８に表示させることで、選択可能状態であることを遊技者に報知する。しかし、選択可能状態であることを報知する方法は適宜変更できる。例えば、音声を用いて報知してもよい。操作ボタン９（図１および図３参照）の内部に設けられたＬＥＤ等を発光させることで報知してもよい。表示画面２８とは異なる表示手段を別に設けて、選択可能状態であることを示す画像を表示してもよい。
【００６０】
選択可能状態であることが報知されていない場合（Ｓ１０１：ＮＯ）、特別図柄が非変動中であるか否か、つまり、報知演出が実行されていない状態であるか否かが判断される（Ｓ１０２）。Ｓ１０２では、例えば、保留球数カウンタの値が「０」であり、報知演出が実行されていない状態で所定時間が経過した場合（例えば、デモ画面が表示された場合）に、特別図柄が非変動中であると判断してもよい。報知演出が終了し、且つ保留球数カウンタの値が「０」である時点で、非変動中であると判断してもよい。特別図柄が変動中であれば（Ｓ１０２：ＮＯ）、操作ボタン９が所定時間以上押下され続けたか否か（長押しされたか否か）が判断される（Ｓ１０３）。
【００６１】
特別図柄が変動中であり（Ｓ１０２：ＮＯ）、且つ、操作ボタン９の長押しも行われていなければ（Ｓ１０３：ＮＯ）、継続時間カウンタおよび継続回数カウンタの少なくともいずれかが、設定されている各々の閾値以上であるか否かが判断される（Ｓ１０４）。詳細は後述するが、各カウンタの閾値は、演出モード決定処理（図１４参照）において予め設定されている。２つのカウンタの値が共に各々の閾値未満であれば（Ｓ１０４：ＮＯ）、処理はそのままサブ制御基板処理（図９参照）へ戻る。
【００６２】
２つのカウンタの値の少なくともいずれかが閾値以上であれば（Ｓ１０４：ＹＥＳ）、選択可能報知タイミングが到来したか否かが判断される（Ｓ１０５）。選択可能報知タイミングとは、選択可能状態であることを遊技者に報知するタイミング（選択可能状態報知画像２９の表示タイミング）である。選択可能報知タイミングは、予め適切なタイミングに設定すればよい。例えば、報知演出の開始時（デモ図柄の変動開始時）等を、予め選択可能報知タイミングに設定しておけばよい。選択可能報知タイミングが到来していなければ（Ｓ１０５：ＮＯ）、処理はそのままサブ制御基板処理へ戻る。選択可能報知タイミングが到来していれば（Ｓ１０５：ＹＥＳ）、選択可能状態報知画像２９（図１２参照）が表示画面２８に表示されて（Ｓ１０６）、処理はサブ制御基板処理へ戻る。つまり、実行モードが規定時間または規定回数以上継続すると、選択可能状態であることが適切なタイミングで報知される。
【００６３】
また、特別図柄が非変動中である場合（Ｓ１０２：ＹＥＳ）、および、操作ボタン９が長押しされた場合には（Ｓ１０３：ＹＥＳ）、２つのカウンタの値に関わらず、選択可能状態報知画像２９が表示画面２８に表示される（Ｓ１０６）。処理はサブ制御基板処理へ戻る。つまり、特定の条件（特別図柄の非変動、または操作ボタン９の長押し）が成立すると、実行モードが継続している度合いに関わらず、選択可能状態であることが報知される。より詳細には、特別図柄が変動していない場合、大当たり判定の結果の報知が未だ完了していない大当たり乱数の数がゼロとなっている。この場合、遊技の状態が停滞しているため、遊技者は実行モードの変更を望んでいる可能性が高い。また、操作ボタン９が長押しされた場合、遊技者が実行モードの変更を強く望んでいる可能性が高い。よって、パチンコ機１は、選択可能状態であることをすぐに報知することで、遊技者の希望に合う演出を実行できる。
【００６４】
選択可能状態であることが報知されている場合（Ｓ１０１：ＹＥＳ）、操作ボタン９が操作されたか否かが判断される（Ｓ１１１）。操作されていない場合（Ｓ１１１：ＮＯ）、画像消去タイミングが到来したか否かが判断される（Ｓ１１２）。画像消去タイミングは、予め適切なタイミングに設定すればよい。一例として、操作ボタン９の長押し、または実行モードの継続によって選択可能状態報知画像２９が表示された場合、表示時間が所定時間となった時点を画像消去タイミングに設定すればよい。また、特別図柄の非変動によって選択可能状態報知画像２９が表示された場合、次に特別図柄の変動が開始する時点を画像消去タイミングに設定すればよい。画像消去タイミングが到来していなければ（Ｓ１１２：ＮＯ）、処理はそのままサブ制御基板処理へ戻る。
【００６５】
画像消去タイミングが到来していれば（Ｓ１１２：ＹＥＳ）、選択可能状態報知画像２９が表示画面２８から消去される（Ｓ１１５）。実行モードの終了情報（後述する）がＲＡＭ５８２に記憶されて（Ｓ１１６）、処理はサブ制御基板処理へ戻る。選択可能状態の報知中に操作ボタン９が操作されると（Ｓ１１１：ＹＥＳ）、実行モードを他の演出モードに変更する旨を記憶するために、変更フラグが「ＯＮ」とされる（Ｓ１１４）。次いで、選択可能状態報知画像２９が消去され（Ｓ１１５）、実行モードの終了情報（後述する）がＲＡＭ５８２に記憶されて（Ｓ１１６）、処理はサブ制御基板処理へ戻る。
【００６６】
図１３に示すように、ＲＡＭ５８２には、実行モードの終了情報および終了頻度が記憶される。終了情報とは、作業者が特別演出モードの各々を自ら終了させたか否かを示す情報である。本実施形態では、モードＸ，Ｙ，Ｚの各々に対し、ユーザが特別演出モードを終了させたことを示す「終了」、または、ユーザが特別演出モードを終了させずに継続させたことを示す「継続」が、終了情報として記憶される。詳細には、操作ボタン９が操作されることなく画像消去タイミングが到来した場合（Ｓ１１２：ＹＥＳ）、Ｓ１１６では「継続」が記憶される。選択可能状態の報知中に操作ボタン９が操作されると（Ｓ１１１：ＹＥＳ）、Ｓ１１６では「終了」が記憶される。終了情報は、特別演出モードの各々について、直近の３回分記憶される。
【００６７】
終了頻度とは、作業者が操作ボタン９を操作して実行モード（特別演出モード）を終了させた頻度である。ＣＰＵ５８１は、終了情報に基づいて終了頻度を算出する。詳細は後述するが、算出された終了頻度は、継続時間カウンタの閾値、および継続回数カウンタの閾値を決定するために用いられる。本実施形態では、終了頻度には、連続終了回数および終了割合がある。
【００６８】
連続終了回数とは、それぞれの特別演出モードが操作ボタン９の操作に応じて連続して終了した回数である。図１３に示す例では、モードＹは、直近２回の選択可能状態の報知中に連続して終了している。よって、連続終了回数「２」が算出されている。モードＺは、直前の選択可能状態の報知中には終了していないため、連続終了回数「０」が算出されている。
【００６９】
終了割合とは、選択可能状態が遊技者に報知された回数に対する、操作ボタン９の操作に応じて特別演出モードを終了させた回数の割合である。本実施形態では、終了割合は、全ての特別演出モードに関する終了情報に基づいて算出される。図１３に示す例では、モードＸの終了割合が「３／３」、モードＹの終了割合が「２／３」、モードＺの終了割合が「１／３」である。よって、全ての特別演出モードの終了割合は「６／９」となる。
【００７０】
なお、終了情報および終了頻度を記憶、算出する方法が変更できることは言うまでも無い。例えば、終了情報は、それぞれの特別演出モードに分けて記憶することで、それぞれの特別演出モードに対する遊技者の趣向を判別することができる。しかし、それぞれの特別演出モードに分けずに終了情報を記憶しても、本発明は実現できる。記憶する終了情報は、直近３回の終了情報に限られない。連続終了回数および終了割合の一方のみを終了頻度として算出しても、本発明は実現できる。連続終了回数は、それぞれの特別演出モードに分けて算出する必要は無い。終了割合は、それぞれの特別演出モードに分けて算出してもよい。
【００７１】
また、パチンコ機１は、ＲＡＭ５８２に記憶されている実行モードの終了情報および終了頻度を消去して初期値に戻すことができる。詳細には、パチンコ機１は、遊技が実行されないまま所定時間が経過した場合に、遊技者が交代したと判断し、終了情報および終了頻度を消去して、ＲＯＭ５８３に記憶されている初期値に戻す。よって、交代する前の遊技者の好みに合わせて演出が行われる可能性を低下させることができる。なお、遊技者が交代したと判断するための所定時間は、適宜設定できる。例えば、前述したように、報知演出が実行されないまま時間が経過してデモ画面が表示された場合に、選択可能状態報知画像２９を表示させることも可能である。この場合、遊技者が交代したと判断するための所定時間は、デモ画面が表示されるまでの時間よりも長い時間に設定するとよい。また、パチンコ機１は、遊技が行われていない間に操作ボタン９の所定の操作が行われた場合、終了情報および終了頻度を初期化する。よって、遊技者は、遊技を開始する際に操作ボタン９を操作することで、前回の遊技者の遊技に応じて記憶された情報を消去させて、自分の好みに合った遊技を行うことができる。
【００７２】
図９の説明に戻る。特別演出モードに関する処理（Ｓ７５、Ｓ７６）が終了すると、主基板４１から特別図柄停止コマンドを受信したか否かが判断される（Ｓ７９）。受信していなければ（Ｓ７９：ＮＯ）、処理はそのままＳ８４の判断へ移行する。特別図柄停止コマンドを受信すると（Ｓ７９：ＹＥＳ）、変動中のデモ図柄を停止させて報知演出を終了させる処理が行われる（Ｓ８０）。演出モード決定処理が行われて（Ｓ８１）、処理はＳ８４の判断へ移行する。演出モード決定処理の詳細については、図１４および図１５を参照して後述する。次いで、主基板４１から大当たり遊技開始コマンドを受信したか否かが判断される（Ｓ８４）。受信していなければ（Ｓ８４：ＮＯ）、処理はそのままＳ７１の判断へ戻る。大当たり遊技開始コマンドを受信すると（Ｓ８４：ＹＥＳ）、大当たり遊技演出処理が実行されて（Ｓ８５）、処理はＳ７１の判断へ戻る。
【００７３】
図１４を参照して、演出モード決定処理について説明する。まず、変更フラグが「ＯＮ」となっているか否かが判断される（Ｓ１２１）。前述したように、選択可能状態報知画像２９の表示中に操作ボタン９が操作されると、変更フラグが「ＯＮ」とされる（Ｓ１１４、図１１参照）。この場合、変更フラグが「ＯＦＦ」とされた後（Ｓ１２２）、実行していた演出モード以外の演出モードの１つが、次の実行モードとして決定される（Ｓ１２８）。次の実行モードは、所定の規則に従って決定してもよいし、抽選等によって決定してもよい。本実施の形態では、実行していた演出モード以外の演出モードの１つが、所定の確率で抽選される。より具体的には、特別演出モードが抽選される確率が、通常演出モードが抽選される確率よりも低くなるように、抽選確率が設定されている。なお、特別演出モードの次に決定される演出モードは、必ず通常演出モードの中から決定してもよい。これにより、特別演出モードが実行されることの価値を高めることができる。
【００７４】
次いで、Ｓ１２８で決定された演出モードが特別演出モードであるか否かが判断される（Ｓ１３０）。特別演出モードでなく通常演出モードであれば（Ｓ１３０：ＮＯ）、処理はそのままサブ制御基板処理へ戻る。決定された演出モードが特別演出モードであれば（Ｓ１３０：ＹＥＳ）、終了情報によって算出される終了頻度（図１３参照）が取得される（Ｓ１３１）。取得された終了頻度に応じて、継続時間カウンタおよび継続回数カウンタの値の閾値が設定される（Ｓ１３２）。処理はサブ制御基板処理へ戻る。
【００７５】
図１５に示すように、サブ制御基板５８のＲＯＭ５８３には閾値決定テーブルが記憶されている。閾値決定テーブルでは、連続終了回数および終了割合の各々の値と、継続時間カウンタおよび継続回数カウンタの各々の閾値とが、予め対応付けられている。具体的には、連続終了回数が所定値以上である場合には、所定値未満である場合に比べて閾値が低くなるように、テーブルが作成されている。つまり、連続終了回数が大きい値になる程、継続時間カウンタの閾値および継続回数カウンタの閾値は共に低くなる。同様に、終了割合が高い程、継続時間カウンタの閾値および継続回数カウンタの閾値は共に低くなる。その結果、遊技者が実行モードを終了させる頻度が高い程、選択可能状態の報知が早い段階で行われる（Ｓ１０４、図１１参照）。なお、閾値決定テーブルにおいて対応付けられている具体的な値が適宜変更できることは言うまでもない。
【００７６】
図１４におけるＳ１３２の処理では、連続終了回数によって定まる閾値、および終了割合によって定まる閾値のうち、低い方の閾値が設定される。しかし、閾値の設定方法は変更できる。例えば、連続終了回数および終了割合の一方のみを用いて閾値を設定してもよい。この場合、ＣＰＵ５８１の処理負担が低下し、ＲＡＭ５８２の記憶領域も圧迫されにくい。連続終了回数および終了割合をランダムに用いて閾値を設定してもよい。
【００７７】
また、演出モード決定処理において、変更フラグが「ＯＦＦ」とされている場合には（Ｓ１２１：ＮＯ）、実行モードが所定時間以上継続しているか否かが判断される（Ｓ１２４）。Ｓ１２４の判断の基準となる所定時間は、選択可能状態であることを報知するか否かの判断（Ｓ１０４、図１１参照）の基準となる継続時間よりも長い時間となるように、演出モードの各々に対応付けて設定されている。実行モードが所定時間以上継続していなければ（Ｓ１２４：ＮＯ）、処理はそのままサブ制御基板処理へ戻る。
【００７８】
実行モードが所定時間以上継続している場合（Ｓ１２４：ＹＥＳ）、実行モードを自動的に終了させるか否かを決定するための終了抽選が、所定の確率で行われる（Ｓ１２５）。終了抽選に当選しなければ（Ｓ１２６：ＮＯ）、処理はそのままサブ制御基板処理へ戻り、実行モードが継続する。終了抽選に当選すると（Ｓ１２６：ＹＥＳ）、Ｓ１２８〜Ｓ１３２の処理において次の実行モードが決定され、実行モードが自動的に変更される。
【００７９】
以上説明したように、本実施形態のパチンコ機１では、実行モードが一定時間継続することを条件として、実行モードを終了させるか否かを選択できる旨（終了可能状態）が遊技者に報知される。遊技者は、一定時間以上行われた実行モードの内容を踏まえて、実行モードを終了させるか否かを選択することができる。従って、本実施形態のパチンコ機１は、多数の演出モードを遊技者に楽しませつつ、遊技者が所望する演出モードが実行される割合を増やすことができる。具体的には、遊技者の興味を惹くことができる演出モードが他に存在しているにも関わらず、特定の演出モードのみが遊技者によって選択され続けることも無い。演出モードを切り替えられることを遊技者が知らないまま遊技が進行することも無い。
【００８０】
本実施形態では、実行モードが一定時間以上継続する前でも、特定の条件が成立すれば、遊技者は操作ボタン９を操作して実行モードを終了させることができる。従って、遊技者は、実行モードの内容を既に知っており、実行モードを終了させたい場合には、特定の条件が成立することで、実行モードが一定時間以上継続する前でも実行モードを強制的に終了させることができる。
【００８１】
具体的には、パチンコ機１は、大当たり判定の結果の報知が未だ完了していない大当たり乱数の数がゼロとなった場合に、終了可能状態である旨を報知する。よって、遊技者は、所望しない演出モードが実行モードとなった場合、遊技の中断等を行って保留球数をゼロとし、判定結果の報知を一旦終了させることで、実行モードを終了させることができる。よって、休憩等を行うだけで、容易に演出モードを切り替えることができる。また、遊技球が特別図柄始動電動役物１５に長時間入賞せず、遊技が停滞した場合にも、終了可能状態である旨が報知される。よって、遊技者は、遊技の流れが悪い場合に演出モードを切り替えて気分を変えることができる。
【００８２】
また、パチンコ機１は、操作ボタン９が長押しされた場合に、終了可能状態である旨を遊技者に報知する。よって、遊技者は、実行モードが一定時間継続することを待たずに、容易に実行モードを強制終了させることができる。
【００８３】
本実施形態では、遊技者が実行モードを終了させる頻度が高い程、終了可能状態である旨が早い段階で報知される。つまり、パチンコ機１は、遊技者が実行モードを終了させる頻度に応じて、より最適なタイミングで報知を行うことができる。具体的には、遊技者が特定の演出モードを連続して終了させた場合、遊技者は、その演出モードが実行されることを所望していない可能性が高い。パチンコ機１は、特定の演出モードの連続終了回数が多い程、早い段階で終了可能状態である旨を報知する。一方で、連続終了回数が少なければ、報知のタイミングは遅くなる。従って、パチンコ機１は、遊技者の好みに応じて、より最適なタイミングで終了可能状態である旨を報知することができる。また、パチンコ機１は、終了割合が高くなる程、早い段階で終了可能状態を報知することもできる。終了割合が高い程、遊技者が演出モードを早い段階で変更することを望んでいる可能性が高い。従って、パチンコ機１は、終了割合に応じた最低なタイミングで終了可能状態である旨を報知することができる。
【００８４】
なお、本実施形態において、表示画面２８が本発明の「演出実行手段」に相当する。図１４のＳ１２８で実行モードを決定するＣＰＵ５８１が本発明の「モード決定手段」として機能する。図１０のＳ９７で実行モードに応じて報知演出を制御するＣＰＵ５８１が「演出制御手段」として機能する。図１０のＳ９２、Ｓ９４、Ｓ９５で、実行モードが継続して実行されている時間を示すパラメータ（カウンタの値）を取得するＣＰＵ５８１が、「パラメータ取得手段」として機能する。図１１のＳ１０４でパラメータが閾値以上となったか否かを判断するＣＰＵ５８１が「閾値判断手段」として機能する。図１１のＳ１０６で選択可能状態報知画像２９を表示画面２８に表示させるＣＰＵ５８１が「報知手段」として機能する。操作ボタン９が「操作手段」に相当する。図１１のＳ１１４で変更フラグを「ＯＮ」とするＣＰＵ５８１が「終了決定手段」として機能する。
【００８５】
図１４のＳ１３１で終了頻度を取得するＣＰＵ５８１が「終了頻度取得手段」として機能する。
【００８６】
本発明は、以上詳述した実施形態に限定されるものではなく、本発明の要旨を逸脱しない範囲内において種々の変更が可能であることは勿論である。まず、上記実施形態では、実行モードが開始された以降に経過した時間（継続時間）と、実行モードが開始された以降に実行された大当たり判定の回数（継続回数）とが、実行モードの継続期間を判断するためのパラメータとして取得される。しかし、他のパラメータを用いることも可能である。例えば、報知演出においてリーチ演出が実行された回数を、実行モードの継続期間を判断するためのパラメータとして取得してもよい。特定のリーチ演出（例えば、大当たりの期待度が高いスーパーリーチ）が実行された場合に、パラメータが閾値以上となったと判断してもよい。普通当たり判定の回数をパラメータとして用いることも可能である。以上のように、実行モードが継続して実行されている期間に得られる種々の遊技情報をパラメータとして用いることができる。なお、リーチ演出とは、複数のデモ図柄の一部を停止させてリーチ状態とした後に行われる、大当たりの可能性があることを示す演出である。
【００８７】
上記実施形態では、継続時間または継続回数が閾値以上となる条件と、選択可能報知タイミングが到来する条件とが共に満たされることで、選択可能状態報知画像２９が表示される（図１１のＳ１０４〜Ｓ１０６参照）。しかし、選択可能状態である旨を報知するための条件を変更してもよい。例えば、パラメータが閾値以上となることのみを条件としてもよい。選択可能タイミングが到来する条件以外の他の条件（例えば、リーチ演出が実行されていないこと）を加えてもよい。
【００８８】
上記実施形態では、選択可能状態報知画像２９の表示中に操作ボタン９が操作されると、実行モードが終了して他の演出モードに変更される。しかし、本発明は、操作ボタン９が操作されることを条件に実行モードを延長する場合にも適用できる。この場合、例えば、選択可能状態報知画像２９（図１２参照）のメッセージを「ボタンを押したらモードを延長できるよ！」等に変更する。そして、図１１に示す特別演出モード処理において、操作ボタン９が操作されないまま（Ｓ１１１：ＮＯ）、画像消去タイミングが到来した場合に（Ｓ１１２：ＹＥＳ）、変更フラグを「ＯＮ」とすればよい。さらに、この場合、操作ボタン９が操作されることを条件として、実行モードの終了抽選を開始するための所定時間（Ｓ１２４、図１４参照）を延長してもよい。選択可能状態報知画像２９を次に表示させるためのカウンタの閾値を再設定してもよい。以上のように、操作ボタン９が操作されることを条件に実行モードを延長する場合でも、本発明を適用することで、上記実施形態と同様の効果が得られる。
【００８９】
上記実施形態では、実行モードを変更することが決定された場合、次の実行モードが自動的に決定される（Ｓ１２８、図１４参照）。しかし、次の実行モードを遊技者に選択させることも可能である。例えば、パチンコ機１は、複数の演出モードを次の実行モードの候補として表示画面２８に表示し、表示した複数の演出モードの１つを操作ボタン９等によって遊技者に選択させることで、次の実行モードを決定してもよい。また、操作ボタン９以外の操作手段を採用できることは言うまでもない。例えば、十字キー等の他の形状の操作手段を用いてもよいし、トラックボール等も採用することも可能である。
【００９０】
上記実施形態では、実行していた演出モード以外の演出モードの１つが、次の実行モードとして決定される。しかし、所定の条件が成立した場合には、実行していた演出モードと同一の演出モードを次の実行モードとして決定してもよい。例えば、次に実行する変動パターンが、リーチ演出を実行する変動パターンである場合や、大当たりの変動パターンである場合に、実行していた演出モードと同一の演出モードを次の実行モードとしてもよい。これにより、遊技者は、リーチ演出が実行されること、または大当たりであることを、実行モードによって把握することができ、遊技内容がさらに多様化する。
【００９１】
上記実施形態では、特定の条件（図柄の非変動または操作ボタン９の長押し）が成立した場合、実行モードの継続時間を示すパラメータに関わらず、選択可能状態報知画像２９が表示される。（Ｓ１０２、Ｓ１０３、図１１参照）。しかし、Ｓ１０２、Ｓ１０３の処理を省略し、実行モードがある程度継続した場合にのみ選択可能状態報知画像２９を表示させることも可能である。また、図柄の非変動および操作ボタン９の長押し以外の条件を、特定の条件としてもよい。例えば、特定のリーチ演出が実行された場合に、パラメータに関わらず、選択可能状態である旨を報知してもよい。また、所定時間内に操作ボタン９が所定回数以上操作されること（つまり、２度押しや連打）を、特定の条件としてもよい。実行モードを終了させる際に操作されるボタンとは異なるボタンが操作されることを、特定の条件としてもよい。
【００９２】
上記実施形態では、特別図柄およびデモ図柄が非変動となった時点で、選択可能状態報知画像２９が表示画面２８に表示される（Ｓ１０２、Ｓ１０６、図１１参照）。しかし、図柄が非変動となった後、所定時間が経過した時点で選択可能状態報知画像２９を表示してもよい。例えば、図柄が非変動となった後、所定時間が経過した時点で、キャラクタの紹介等を行うデモ画像と同時に選択可能状態報知画像２９を表示してもよい。
【００９３】
上記実施形態では、複数の特別演出モードの各々における直近３回の終了情報に基づいて、終了割合が算出される。しかし、特別演出モードに関わらず、直近の所定回数（例えば、９回）の報知に対する終了回数の割合を算出してもよい。また、前述したように、連続終了回数および終了割合の一方のみを用いて本発明を実現することも可能である。
【００９４】
上記実施形態では、特別演出モードが実行モードとなった場合のみ、選択可能状態報知画像２９が表示されて、操作ボタン９の操作によって実行モードを変更することができる状態となる。しかし、本発明は、複数の演出モードの一部が実行モードとなった場合だけに限られず、全ての演出モードに対して適用することが可能である。
【符号の説明】
【００９５】
１    パチンコ機
２    遊技盤
９    操作ボタン
１５    特別図柄始動電動役物
２８    表示画面
２９    選択可能状態報知画像
４１    主基板
５１    ＣＰＵ
５２    ＲＡＭ
５８    サブ制御基板
７０    始動口スイッチ
５８１    ＣＰＵ
５８２    ＲＡＭ
５８３    ＲＯＭ
【図１】
0005957644.tif 000002
【図２】
0005957644.tif 000003
【図３】
0005957644.tif 000004
【図４】
0005957644.tif 000005
【図５】
0005957644.tif 000006
【図６】
0005957644.tif 000007
【図７】
0005957644.tif 000008
【図８】
0005957644.tif 000009
【図９】
0005957644.tif 000010
【図１０】
0005957644.tif 000011
【図１１】
0005957644.tif 000012
【図１２】
0005957644.tif 000013
【図１３】
0005957644.tif 000014
【図１４】
0005957644.tif 000015
【図１５】
0005957644.tif 000016